(57)【要約】  本発明は、プロセスプロダクトストリーム内の総塩化物含有量を測定する方法及びシステムに関する。特に、本発明は、ガスでの精製プロセスプロダクトストリームに対して、塩化水素及び有機塩化物含有量をその場で測定する方法に関する。この方法は、単一の試験方法での塩化水素及び有機塩化物含有量の測定を可能にし、精製プロセス内にて使用される塩化物ガードベッドに対する最適化されたパフォーマンス及びメンテナンススケジュールを可能にする。【選択図】図１
2020522702.tif 000002
【特許請求の範囲】
【請求項１】
プロセスプロダクトストリームにおける総塩化物含有量のその場での測定に使用するシステムであって、
バルブを含むサンプルポートと、
塩化物試験機器と、
前記バルブと前記塩化物試験機器を接続するコネクタと、
を含み、
前記塩化物試験機器が、
ＨＣｌ塩化物試験機器と、
触媒に関するＲＣｌ変換手段と、
ＨＣｌ等価物塩化物試験機器と、
を含む、システム。
【請求項２】
前記サンプルポートが調整バルブを含む、請求項１に記載のシステム。
【請求項３】
前記サンプルポートがニードルバルブを含む、請求項１又は２に記載のシステム。
【請求項４】
前記サンプルポートが通気孔を含む、請求項１から３のいずれか一項に記載のシステム。
【請求項５】
前記サンプルポートが遮断バルブを含む、請求項１から４のいずれか一項に記載のシステム。
【請求項６】
前記塩化物試験機器の前記ＨＣｌ塩化物試験機器と、前記触媒に関するＲＣｌ変換手段と、前記ＨＣｌ等価物塩化物試験機器と、が直列に配置されている、請求項１から５のいずれか一項に記載のシステム。
【請求項７】
ポンプ又は吸引装置を含む、請求項１から６のいずれか一項に記載のシステム。
【請求項８】
除湿装置を含む、請求項１から７のいずれか一項に記載のシステム。
【請求項９】
請求項１から８のいずれか一項に記載のシステムを利用する、プロセスプロダクトストリームサンプルの総塩化物含有量をその場で測定する方法であって、
１）試験されるサンプルをプロダクトストリームから取り出して、前記プロダクトストリームサンプルを提供するステップ、 
２）前記プロダクトストリームサンプルを分析して、そのＨＣｌ含有量を測定するステップ、 
３）前記プロダクトストリームサンプル内のいずれかのＲＣｌを変換して、ＨＣｌ等価物を生成するステップ、 
４）前記ステップ３）にて生成された前記ＨＣｌ等価物を分析して、そのＨＣｌ等価物含有量を測定するステップ、及び
５）前記ステップ２）及び４）の前記ＨＣｌ及びＨＣｌ等価物含有量の測定値に基づいて、前記プロダクトストリームサンプルの総塩化物含有量を計算するステップ、
を含む方法。
【請求項１０】
前記プロダクトストリームは、ガス又は液体の形態であり、好適には、前記プロダクトストリームはガスである、請求項９に記載の方法。
【請求項１１】
前記プロセス内の、原料の導入後、脱塩装置の後、触媒改質ユニット（ＣＲＵ）の後、塩化物ガードの前若しくは後、影響を受けるいずれかの装置の前若しくは後、又は、最終生成物の排出若しくは保管の前の１つ又はそれ以上のいずれかの時点にて前記ステップ１）を行うことを含む、請求項９又は１０に記載の方法。
【請求項１２】
試験されるサンプルをプロダクトストリームから取り出して、プロダクトストリームサンプルを、サンプルポートを介して提供する前記ステップ１）を行うことを含む、請求項９から１１のいずれか一項に記載の方法。
【請求項１３】
前記試験方法の対象となる前記プロダクトストリームサンプルの体積を記録することを含む、請求項９から１２のいずれか一項に記載の方法。
【請求項１４】
前記方法は、０．０５ｐｐｍｖと５０ｐｐｍｖとの間、好適には、０．２ｐｐｍｖと４０ｐｐｍｖとの間の、ＨＣｌ含有量の定量的測定を提供する、請求項９から１３のいずれか一項に記載の方法。
【請求項１５】
前記方法は、０．０５ｐｐｍｖと５０ｐｐｍｖとの間、好適には、０．２ｐｐｍｖと４０ｐｐｍｖとの間の、ＨＣｌ等価物の定量的測定を提供する、請求項９から１４のいずれか一項に記載の方法。
【請求項１６】
１）遮断バルブを含むサンプルポートを提供し、塩化物試験機器を前記サンプルポートに取り付けるステップ、
２）前記遮断値を開くことと、続いて、プロダクトストリームサンプルが一旦取り出されたら、前記遮断バルブを閉じることと、を含む、試験されるサンプルをプロダクトストリームから取り出して、前記プロダクトストリームサンプルを、前記サンプルポートを介して提供するステップ、
３）前記プロダクトストリームサンプルを分析して、そのＨＣｌ含有量を測定するステップ、
４）前記プロダクトストリームサンプル内のいずれかのＲＣｌを変換して、ＨＣｌ等価物を生成するステップ、
５）前記ステップ３）にて生成された前記ＨＣｌ等価物を分析して、前記サンプル内のＲＣｌ含有量のＨＣｌ等価物含有量を測定するステップ、及び
６）前記ステップ３）及び５）の前記ＨＣｌ及びＨＣｌ等価物含有量の測定値の合計に基づいて、総塩化物含有量を計算して、前記総塩化物含有量の測定値を提供するステップ、
を含む、請求項９から１５のいずれか一項に記載の方法。
【請求項１７】
１）遮断バルブを任意に含むサンプルポートを提供し、前記サンプルポートに、塩化物試験機器と、ＨＣｌ等価物試験機器と、を取り付けるステップ、
２）前記遮断バルブを開くことと、続いて、プロダクトストリームサンプルが一旦取り出されたら、前記遮断値を閉じることと、を任意に含む、試験されるサンプルをプロダクトストリームから取り出して、前記プロダクトストリームサンプルを、前記サンプルポートを介して提供するステップ、
３）前記プロダクトストリームサンプルを分析して、そのＨＣｌ含有量を測定するステップ、
４）前記ステップ３）からの前記プロダクトストリームサンプル内のいずれかのＲＣｌを続いて変換して、ＨＣｌ等価物を生成するステップ、
５）前記ステップ４）にて生成された前記ＨＣｌ等価物を分析して、前記サンプル内のＲＣｌ含有量の前記ＨＣｌ等価物を測定するステップ、及び
６）前記ステップ３）及び５）の前記ＨＣｌ及びＨＣｌ等価物含有量の測定値の合計に基づいて、総塩化物含有量を計算して、前記総塩化物含有量の測定値を提供するステップ、
を含む、請求項９から１６のいずれか一項に記載の方法。
【請求項１８】
前記方法のステップ１から６）は、試験される単一のサンプルに順次行われる、請求項９から１７のいずれか一項に記載の方法。
【請求項１９】
前記方法が、１００バールＧを超えない圧力にて行われる、請求項９から１９のいずれか一項に記載の方法。
【請求項２０】
前記サンプルプロダクトストリームの圧力を、略大気圧力レベルまで下げることを含む、請求項９から１９のいずれか一項に記載の方法。
【請求項２１】
前記サンプルプロダクトストリームを除湿装置に通すことを含む、請求項９から２０のいずれか一項に記載の方法。
【請求項２２】
請求項１から８に記載のシステムの、精製プロセスでの使用。
【請求項２３】
請求項９から２１に記載の方法の、精製プロセスでの使用。
【発明の詳細な説明】
【技術分野】
【０００１】
本発明は、プロセスプロダクトストリーム内の総塩化物含有量を測定するシステム及び方法に関する。特に、排他的ではないが、本発明は、ガスでの精製プロセスプロダクトストリームに対して、塩化水素及び有機塩化物含有量の双方をその場で測定する方法に関する。この方法は、単一の試験方法での塩化水素及び有機塩化物の測定を可能にし、精製プロセス内にて使用される塩化物ガードベッドに対する最適化されたパフォーマンス及びメンテナンススケジュールを可能にする。
【背景技術】
【０００２】
塩化物は通常、２つの方法にて精製プロセスプラントに導入される。まず、いくつかの原油源が、無機及び有機塩化物質の双方を、初期精製原料の一部として精製プロセスに運び入れ得る。一般的に、塩化水素及び塩化物塩などといった無機塩化物をこの初期原料ストリームから取り出すために、既知の脱塩プロセスが使用され、下流の触媒物質での腐食及び付着を防止している。有機塩化物の特定及び取り出しは、精製プロセスのこの段階では一般に行われないため、有機塩化物は、いずれのそのような脱塩装置の下流のプロダクトストリーム内に存在する場合がある。次に、塩化物は一般に、触媒改質ユニット（Ｃａｔａｌｙｔｉｃ  Ｒｅｆｏｒｍｉｎｇ  Ｕｎｉｔ又はＣＲＵ）の時点にて精製プロセスに導入される。使用中、塩化物はＣＲＵ内に噴射され、触媒上に吸着し、所望する最適な生成物変換及び反応選択性に必要な酸機能を提供する。これらの噴射された塩化物はしかし、ＣＲＵ内の触媒に恒久的に化学結合せず、結果として生じるプロダクトストリーム内に移動し、そこでＣＲＵの下流に流れて、精製プロセスのさらなるステップを経る。これは、塩化水素がプロセスプロダクトストリームに導入される最も一般的な方法である。プロセスプロダクトストリームの塩化物含有量はしたがって、フィールド内の無機塩化物とも時に呼ばれる塩化水素（ｈｙｄｒｏｇｅｎ  ｃｈｌｏｒｉｄｅ又はＨＣｌ）と、有機塩化物（ｏｒｇａｎｏｃｈｌｏｒｉｄｅ又はＲＣｌ）と、の双方を含み得る。
【０００３】
下流での働きにおけるＨＣｌの悪影響は、オーステナイトステンレス鋼の腐食、塩化アンモニウムの塩溶、圧力低下問題、及び、より一般的な、下流の配管及び他の装置の腐食を含み得る。そのため、これらの悪影響を回避するために、ＨＣｌ吸着剤又は吸着性物質が使用される。これらの物質は通常、塩化物ガードベッド内に存在する。しかし、プロダクトストリーム内に有機塩化物が存在することは、水素処理又は改質反応器内などの、精製プロセスにおける下流にて塩酸が予期せずに生成され得ることを意味し、この塩酸は、精製装置の凝縮領域内に蓄積する。したがって、ＨＣｌ塩化物ガードがプロセス内に利用されていたとしても、効果的に中和できない塩化物の予期しない濃度により、ダメージが残り得る。そのため、有機塩化物（総称して、ＲＣｌとして呼ばれる）の、プロダクトストリームからの取り出しがも重要である。なぜならこれらは、ＨＣｌへの変換後に、下流における各種の問題の原因になるからである。精製プロセスにおける有機塩化物に関して報告される最も一般的な問題として、
１）水素化処理装置及びスタビライザタワー内のＮＨ４Ｃｌの詰まりと、
２）ステンレス鋼製の配管及び交換器の、塩化物による応力腐食亀裂と、
の２つが挙げられる。
【０００４】
これに加えて、プロダクトストリーム内に存在するいずれかの有機塩化物は、下流での触媒被毒及び最終生成物仕様に対する問題を引き起こし得る。例えば、ニッケル、銅、及びパラジウムに基づく触媒は、塩化物イオンによる急速な失活を非常に起こしやすい。その代わりに、エンドユーザは、最終精製生成物を燃料として使用する場合など、その最終精製生成物がいずれの塩化物含有量を含まないことを要求する場合がある。
【０００５】
精製プロセスのプロダクトストリーム内の塩化物の存在に関連する問題を考慮すると、無機及び有機塩化物の種（つまり、ＨＣｌ及びＲＣｌ）の双方の監視及び取り出しの必要性が明白である。
【０００６】
現在では、多くの精製作業が、ＨＣｌのみの取り出しに集約されている。これは、有機塩化物の存在に関連する問題が克服されないことを意味する。ＨＣｌは、ＨＣｌのみの塩化物ガードにより取り出される場合がある。しかし、そのような塩化物ガードはまた、特に酸性化塩化物ガードが利用される場合に、有機塩化物の創出をもたらす。しかし、総塩化物ガードシステムの利用を通して、精製プロセス及びプラントの装置を、先に強調した欠点から保護する、総塩化物（つまり、ＨＣｌ及びＲＣｌの双方）を取り出す方法が知られている。総塩化物ガードシステムは通常、触媒（単一又は複数）物質の混合物及びモレキュラーシーブを利用する。ＨＣｌを取り出すことができる物質が通常、第１のプロセスベッドにて利用され、ＲＣｌを取り出すことができる物質が、個別の、第１のプロセスベッドの下流の第２のプロセスベッドにて利用される。しかし、これらの総塩化物ガードシステムの最適なパフォーマンスのためには、ベッドに含まれる物質が、ＨＣｌ及びＲＣｌ物質と飽和して、機能できない又は要求される程度に機能しなくなると共に、補充されることが重要である。通常、双方の種類の塩化物ガードのパフォーマンスは、塩化物ガードの下流の、ＨＣｌのみの形態での、塩化物ブレークスルーを測定することにより評価される。
【０００７】
現在では、精製装置が、（ＨＣｌのみ又はＨＣｌ及びＲＣｌの組み合わせの取り出しのいずれかのための）塩化物ガード技術を利用していても、これらは、それらの塩化物ガードベッドのパフォーマンスを適切に評価する能力を有しない。無機塩化物（ＨＣｌ）を監視することが良好に理解されている一方で、有機塩化物（ＲＣｌ）及び総塩化物含有量は通常測定されないため、下流の処理及び装置に対するコストが膨大となる。その結果、多くの精製者は、プロダクトストリーム内のＨＣｌ含有量のみを測定することとなる。これは、塩化物のＣＲＵへの導入により生じ得る、又は、酸性化塩化物ガードにより創出され得るＲＣｌ含有量を特定しない。これは、精製者への警告なく、塩化物ガードの下流での腐食及び付着を引き起こす。したがって、精製プロダクトストリーム内の無機及び有機塩化物の双方を適切に検出して定量化できる方法論を有することが非常に重要である。現在では、プロセスプラントのオペレータは、ＨＣｌ試験方法を、ガス及び／又は液体系のＨＣｌ測定用のＤｒａｅｇｅｒ（商標）チューブなどを介して、精製プロセスサイト上のその場で利用し得る。しかし、そのような方法は、有機塩化物の存在を試験しない、又は、分析されたプロダクトストリームの総塩化物含有量の測定値を提供しない。そのような方法は、ＲＣｌ物質の存在を考慮しないため、したがって不適切であるとみなされる。その結果、この方法は、例えば、（下流プロダクトストリーム内の塩化物ブレークスルーの前に）塩化物ガードの補充がいつ必要になり得るかを推定すること、又は、総（ＨＣｌ及びＲＣｌの組み合わせ）塩化物ガードシステムにおいて使用される、ＨＣｌに対するＲＣｌ取り出し物質の量に関連する最適なプロセス設計を実現することの手段として信頼することはできない。
【０００８】
その代わりに、プロセスプラントのオペレータは、プロセスガス及び／又は液体のプロダクトストリームからサンプル物質を取り出す場合があり、これらの取り出されたサンプルが、分析実験室を介してのオフサイトでの分析に送られ得る。この場合、サンプル分析の最も一般的な方法は、ＲＣｌについては炎イオン化クロマトグラフィであり、ＨＣｌについては電位差測定分析である。しかし、そのような分析では、臭化物及びフッ化物といった他のハロゲン含有化合物の干渉の可能性や、硫黄の種からの干渉の可能性もある。これにより、異常に高い測定が引き起こされ得る。そのような方法の利用はしたがって、総塩化物の存在の過大評価を時に導く。これは、塩化物ガード物質が必要以上に頻繁に変化することを意味し、不必要なメンテナンス及びプロセスプラントのダウンタイムを引き起こす。これに加えて、そのようなオフサイト分析からデータを取得することは、プロセスプラントのオペレータに返却されるまでに多くの時間、時には多くの日数をも要する。したがってその情報は過去のものとなり、精製プロセスの現在の稼働状態を表さない。
【０００９】
本発明の好適な実施形態は、従来技術の上記の欠点の１つ又はそれ以上を克服しようと試みる。特に、本発明の好適な実施形態は、精製者／プロセスプラントのオペレータが、プラントの望ましくないダウンタイムを最小化し、無機及び有機塩化物の双方を塩化物ガードにより最大限に取得することを確かにし、先に強調した問題を回避できるよう、総塩化物含有量の存在をその場で試験する、改善された方法を提供しようと試みる。これに加えて、そのような方法での使用に適したシステムが提供される。
【００１０】
定義
「ＨＣｌ」は塩化水素を意味し、本技術において無機塩化物とも呼ばれる。
「ＲＣｌ」は、いずれかの有機塩化物質を意味する。
「総塩化物」は、ＨＣｌ及びＲＣｌの形態にて存在する塩化物の総濃度を意味する。好適には、ＲＣｌの量は、「ＨＣｌ等価物」として表される。例えば、３ｐｐｍｖの三塩化有機塩化物質が存在する場合、これは、９ｐｐｍｖのＨＣｌの等価物として表されてよい。
「前（ｂｅｆｏｒｅ）」という語句の使用は、関連する上流のプロセスステップに関する。「後（ａｆｔｅｒ）」という語句の使用は、関連する下流のプロセスステップに関する。
「その場で」という語句は、サンプルが、行われる試験のためにオフサイトで取り出されないよう、試験のために取り出すサンプルに近位の、対象プロセスプラントでのことを意味する。
「塩化物ガード」という語句は、プロセスの必要性に依存して、ＨＣｌのみの塩化物ガードと、ＨＣｌ及びＲＣｌの総塩化物の塩化物ガードシステムと、の双方を意味することを意図する。
「ｐｐｍｖ」という略語は、体積あたりの百万分の１（ｐａｒｔｓ  ｐｅｒ  ｍｉｌｌｉｏｎ  ｂｙ  ｖｏｌｕｍｅ）を表す。
【発明の概要】
【００１１】
本発明の第１の態様によると、プロセスプロダクトストリームにおける総塩化物含有量をその場で測定することに使用するシステムが提供される。
【００１２】
プロセスプロダクトストリームは、塩化物を含むいずれのストリームであってよく、特に、脱塩装置、塩化物ガード、ＣＲＵ、又は塩化物に影響を受ける装置の上流又は下流のストリームであってよい。塩化物ガードは、１つ又はそれ以上の吸着剤容器内に配置された１つ又はそれ以上の塩化物吸着剤を含んでよい。システムはまた、吸着剤容器の間に使用されてよい。
【００１３】
好適には、システムは、サンプルポートを含む。１つ又はそれ以上のサンプルポートが存在してよい。最も好適には、これらの１つ又はそれ以上のサンプルポートは、プロセスプラントのインフラストラクチャに恒久的に組み込まれており、プロセスプロダクトストリームへのアクセスを都合よく可能にする。恒久的に組み込まれたサンプルポートの提供により、プロダクトストリームサンプルを取り出す際のユーザの安全性を高めることが可能となる。最も好適には、サンプルポートが、プロセスプラントのプロダクトストリームフローとバルブを介して流体連結にあるよう、各サンプルポートは、バルブを適切に含む。この実施形態では、１つ又はそれ以上のサンプルポートの恒久的な組み込みが、バルブを介して適切に実現され得る。
【００１４】
１つ又はそれ以上のサンプルポートは、総塩化物含有量の測定に有用となり得る、プロセスプラントのインフラストラクチャ内のいずれのポイントに提供されてよい。特に、システムは、サンプルの取り出しの方法のステップに関連して、以下に特定する地点に、１つ又はそれ以上のサンプルポートを含んでよい。より具体的には、システムは、１つ又はそれ以上のサンプルポートを、ＣＲＵの下流と、塩化物ガードの上流と、に提供することを含んでよい。そのようなシステムは、精製プロセスでの使用に特に適している。その代わりに、システムは、１つ又はそれ以上のサンプルポートを、塩化物に影響を受けるいずれかの装置の上流に提供することを含んでよい。
【００１５】
好適には、１つ又はそれ以上のサンプルポートは、取り出されたプロセスプロダクトストリームの逆流を防止する調整バルブを含む。より好適には、調整バルブは、プロセスプロダクトストリームから取り出されるプロセスプロダクトストリームの量を制御することを可能にする。
【００１６】
加えて、又はその代わりに、１つ又はそれ以上のサンプルポートは、ニードルバルブを含む。これは好適に、取り出されて試験されるサンプルの量が、試験に適した量であるよう、プロセスプロダクトストリームから取り出されるプロダクトストリームの量を相対的に少なくできる。
【００１７】
これに加えて、１つ又はそれ以上のサンプルポートは、通気孔を含んでよい。好適には、通気孔は、端部が開口したパイプの形態であり、より好適には、端部が開口したフレキシブルパイプである。この通気孔は、圧力を解放でき、試験されるプロセスと共に、試験方法がその場で行われる際のユーザの安全性を確かにする。これは、特にシステムが高い圧力及び高い温度にて使用される場合の、システムの重要な安全性機能である。好適には、通気孔は、端部が開口したフレキシブルパイプの形態にて提供される。その遠位端は、いずれかのプロダクトストリームサンプルが、システムの使用中にユーザから十分離れて通気孔から排出されるように向けられてよい。
【００１８】
加えて、又はその代わりに、１つ又はそれ以上のサンプルポートは、遮断バルブを含む。これは、サンプルポートへの、プロダクトストリームのフローのオン及びオフの切り替えを可能とする。つまり、プロダクトストリームの、サンプルポートへの侵入の可否を、オペレータの決定にて行うことができる。これは、以下に記載する試験方法が行われる際に、プロセスプロダクトストリームがサンプルポートのみを通過し得るよう、サンプルポートが、プロセスプラントのインフラストラクチャに恒久的に組み込まれて提供されている場合に特に好適である。
【００１９】
好適には、システムは、塩化物試験機器を含む。適切には、塩化物試験機器は、試験されるプロダクトストリームサンプルの塩化物含有量を、以下に記載する方法にしたがって定量化可能に測定することができる。塩化物試験機器は、いずれかの既知の手段により提供され得る。しかし、本システムのその場でという特徴により、ＨＣｌ塩化物試験機器は、その場での使用に適したものでなくてはならない。適した塩化物試験機器は、ｐＨインジケータなどの、既知の、化学物質を含む試験チューブを含む。好適には、塩化物試験機器は、携帯することを考慮した、適したサイズを有する。いくつかのシステムでは、塩化物試験機器は携帯型であることが好適である。いくつかの好適な実施形態では、塩化物試験機器は、使い捨てに設計されている。
【００２０】
好適には、システムは、コネクタを介して１つ又はそれ以上のサンプルポートに取り外し可能に接続される塩化物試験機器を含む。適切には、コネクタは、サンプルポートに恒久的に固定されてよい。使用中、コネクタは、プロダクトストリームサンプルがサンプルポートから塩化物試験機器内に流れることを可能にする。そのため、コネクタには、第１の近位の、サンプルポート係合端と、第２の遠位の、塩化物試験機器係合端と、が提供される。好適には、コネクタは、フレキシブルチューブにより提供される。最も好適には、塩化物試験機器を、試験方法の開始時及び終了時に容易に取り付けることができ、取り外すことができるよう、コネクタの、第２の遠位の、塩化物試験機器係合端は、塩化物試験機器に取り外し可能に接続される。これは、ＨＣｌ塩化物試験機器が「使い捨て」という特徴を有し、取り外されて交換される必要がある場合に好適である。
【００２１】
コネクタと塩化物試験機器との間の係合は、いずれかの既知の手段を介して可能である。しかし、関連する組み立てが容易なプッシュフィット係合が好適である。
【００２２】
好適には、システムの塩化物試験機器は、直列に配置された、ＲＣｌ変換手段と、ＨＣｌ等価物塩化物試験機器と、を伴うＨＣｌ塩化物試験機器を含む。その代わりに、システムは、ＲＣｌ変換手段と、ＨＣｌ等価物塩化物試験と、に並列なＨＣｌ塩化物試験機器を含んでよい。後者の場合、システムが、２つ又はそれ以上のサンプルポートを含み、これらのサンプルポートは、使用中に、オペレータが、プロセスプラント内の異なる地理的位置に再配置する必要なく、以下に記載する方法を行うことができるよう、相対的に互いに近くに間隔があけられていることが好適である。
【００２３】
適切には、塩化物試験機器のＲＣｌ変換手段は、いずれかの既知の機器により実現され得る。適切には、この変換手段は、ＲＣｌをＨＣｌ等価物に変換する触媒物質を含む。そのため、変換手段は好適には、触媒に関するＲＣｌ変換手段である。
【００２４】
本システムに使用する塩化物試験機器、ＨＣｌ塩化物試験機器、及びＨＣｌ等価物塩化物機器は、同じ種類であってもよいし、異なる種類であってもよい、ということが、当業者により理解されるであろう。ＨＣｌ塩化物試験機器及びＨＣｌ等価物塩化物試験機器の双方は、同じ種類であることが好適である。
【００２５】
加えて、このシステムは、ポンプ又は吸引装置を含んでよい。好適には、このシステムは、吸引装置を含む。最も好適には、これは、塩化物試験機器に取り外し可能に接続されている。このポンプ又は吸引装置は、既知の体積のサンプルプロダクトストリームを、塩化物試験機器を通して吸引するために利用される。適した吸引装置は、本技術において既知である。
【００２６】
加えて、このシステムは、除湿装置を任意に含んでよい。塩化物試験機器が湿度に影響を受ける場合、除湿装置を含めることは特に好適である。精製プロセスでの使用に適した既知のＨＣｌ塩化物試験機器は通常、２０℃での、０％〜８０％の相対湿度の湿度範囲にて作動するため、除湿装置の使用が、システムでの使用に選択されたプロセス条件及びＨＣｌ塩化物試験機器に基づく実際の必要性について評価され得る。
【００２７】
本発明の第２の態様によると、プロセスプロダクトストリームサンプルの総塩化物含有量をその場で測定する方法が提供される。この方法は、
１）試験されるサンプルをプロダクトストリームから取り出して、プロダクトストリームサンプルを提供するステップ、
２）プロダクトストリームサンプルを分析して、そのＨＣｌ含有量を測定するステップ、
３）プロダクトストリームサンプル内のいずれかのＲＣｌを変換して、ＨＣｌ等価物を生成するステップ、 
４）ステップ３）にて生成されたＨＣｌ等価物を分析して、そのＨＣｌ等価物含有量を測定するステップ、及び
５）ステップ２）及び４）の、ＨＣｌ及びＨＣｌ等価物含有量の測定値の合計に基づいて、プロダクトストリームサンプルの総塩化物含有量を計算するステップ、
を含む。
【００２８】
この方法は、上述するように、システムを利用して行われることが最も都合よい。
【００２９】
この方法は、精製プロセスでの使用に特に適している。しかし、この方法は、塩化物質による腐食から装置の下流の触媒を保護することが好適である場合など、プロダクトストリーム内の総塩化物を監視することが望ましい他のプロセスでの使用に適する場合がある。より具体的には、この方法は、塩化物ガードが利用され、同一の付随する、総塩化物を監視することの最適化が望ましいプロセスにおいて特に有用となるであろう。
【００３０】
プロダクトストリームは、ガス又は液体の形態であってよい。好適には、プロダクトストリームはガスである。
【００３１】
適切には、精製プロセスの場合は特に、この方法は、原料の導入後にステップ１）を行うことを含む。これにより、いずれかの他の処理ステップが行われる前に、原料の総塩化物含有量が認められ得る。これにより精製者は、任意の初期処理ステップが原料に必要か否かを評価して、原料のプロダクトストリームを最も効果的に処理することができる。
【００３２】
加えて、又はその代わりに、精製プロセスの場合、この方法は、脱塩装置の後に、ステップ１）を行うことを含む。これにより精製者は、脱塩装置がＨＣｌの取り出しを適切に行わなかったことを示すであろう、脱塩装置からの、いずれかのＨＣｌの溶離を測定することができる。加えて、そのような方法はまた、プロセス内の下流でのこれに続く取り出しを必要とし得るいずれかのＲＣｌを特定する。
【００３３】
加えて、又はその代わりに、そして最も好適には、精製プロセスの場合、この方法は、ＣＲＵの後にステップ１）を行うことを含む。これにより精製者は、塩化物のＣＲＵへの噴射により、プロダクトストリームに侵入した可能性のあるＨＣｌ及びＲＣｌの双方の存在を計算することができる。プロセスのこの段階での、ＲＣｌ及びＨＣｌ塩化物含有量の双方の測定は、特に好適である。なぜならこれにより精製者は、下流の塩化物ガードの設計を最適化できるからである。例えば、有機塩化物（ＲＣｌ）レベルが、ＣＲＵからの溶離において相対的に高い場合、精製者は、ＨＣｌ取り出し物質のレベルに対して、高いレベルのＲＣｌ取り出し物質を利用するよう、塩化物ガードシステムを変更できる。塩化物ガードの最適化により、プロセスプラントのメンテナンス及びダウンタイムの頻度が下がり、同時に、ＨＣｌ及びＲＣｌ取り出し物質のみを必要なだけ利用することに関連して、コストを削減することとなる。ＨＣｌ含有量のみの既存の試験方法を使用する場合、そのようなプロセスの最適化は実現しない。
【００３４】
加えて、又はその代わりに、この方法は好適には、塩化物ガードの前又は後にステップ１）を行うことを含む。試験されるプロダクトストリームサンプルが、塩化物ガードの下流にて取り出された場合、オペレータは、例えば、塩化物の追加的な取り出しが、任意の処理ステップとして必要である場合に、又は、塩化物ガードがメンテナンスを直ちに必要とする場合に、塩素ガードがその機能を適切に行っているかについてアクセスできる。それらを理由として、塩化物ガードの下流にてステップ１）を行うことを含む方法は、特に好適であり得る。
【００３５】
加えて、又はその代わりに、この方法は、影響を受けるいずれかの装置の前又は後にステップ１）を行うことを含んでよい。例えば、塩化物の存在が、その装置のパフォーマンスに悪影響をもたらすであろう場合に、試験されるサンプルは、影響を受ける触媒ベッドの上流にて取得されてよい。いくつかのプロセスでの、影響を受ける装置の前にて特定される、許容しがたいほど高いレベルの塩化物の存在により、精製者／オペレータは、必要に応じて処理ステップを調整して、影響を受ける装置を保護し得るであろう。その代わりに、影響を受ける装置に入る、又は、影響を受ける装置から出る塩化物含有量を監視することにより、精製者／ユーザは、影響を受ける装置のメンテナンスの必要性を良好に評価することが可能となり得る。影響を受ける装置の前又は後にステップ１）を行うことを含む方法は、精製プロセスにおいて特に好適となり得る。
【００３６】
加えて、又はその代わりに、この方法は、最終生成物の排出又は保管の前にステップ１）を行うことを含む。プロセスからの最終生成物の排出又は最終生成物の保管時、又はその直ぐ上流での、プロダクトストリームサンプルの取り出しは、例えば、最終プロダクトストリームが、その意図する最終用途に対して許容できる低いレベルの塩化物を含むか否かを評価するために、好適となり得る。
【００３７】
好適には、この方法は、試験されるサンプルをプロダクトストリームから取り出して、プロダクトストリームサンプルを、サンプルポートを介して提供するステップ１）を行うことを含む。サンプルポートの特徴は、システムに関連して上記に開示されている。なぜなら、このシステムは、ここに提供される方法を行うことの使用に適しているからである。
【００３８】
適切には、本方法の各サンプルポートは、プロセスのインフラストラクチャに恒久的に組み込まれたバルブを含む。そのため、この方法のステップ１）は好適には、試験されるサンプルをプロダクトストリームから取り出して、プロダクトストリームサンプルを、サンプルポート内のバルブを介して提供することを含む。このバルブは、プロセスプロダクトストリームの一部が、メインプロセスプロダクトストリームから流出することを可能にする。
【００３９】
好適には、この方法は、試験方法の対象となるプロダクトストリームサンプルの体積を記録することを含む。これは、この試験方法からのデータを、特に有用である「体積あたり」の単位にて表すことを可能にする。試験サンプルの体積を記録することは、サンプルポートの調整バルブを介して適切に実現されてよい。既知の（及び、したがって記録された）体積のプロダクトストリームサンプルがステップ１）にて提供されるよう、この調整バルブは、プロセスプロダクトストリームから取り出されるプロセスプロダクトストリームの量を制御することを可能にする。その代わりに、この試験方法の対象となるプロダクトストリームサンプルの体積は、さらに後述するように、塩化物試験機器を介して記録され得るか、又は、いくつかの他の手段により記録され得る。この場合、この試験方法の対象となるプロダクトストリームサンプルの体積を記録するステップは、方法のステップ１）とは明確に異なる追加的なステップである。
【００４０】
この方法は好適には、サンプルポートが通気孔を含み、この試験方法の使用中にユーザの安全性を保証するシステムを使用して行われる。そのため、この方法は好適には、通気孔を通じてのいずれかの解放を、ユーザから離れた方向に向けるよう、最も好適には、いずれかの解放を、ユーザの風下に向けるよう、通気孔を位置決めする最初のステップを含む。
【００４１】
上述するように、塩化物試験機器は、使い捨てに設計されることが好適である。この実施形態では、サンプルポートは好適には、遮断バルブを含む。したがって、この方法のステップ１）の一部として（又は、の前に）、サンプルポートの遮断値を開くステップを、この方法が含むことが好適となり得る。この方法はまた、サンプルポートの遮断値を閉じるステップを含んでよい。
【００４２】
この方法は必然的に、上述するように、塩化物試験機器を利用して、方法のステップ２）、３）、及び４）を行う。
【００４３】
好適には、この方法は、０．０５ｐｐｍｖと５０ｐｐｍｖとの間、より好適には、０．２ｐｐｍｖと４０ｐｐｍｖとの間の、ＨＣｌ含有量の定量的測定を提供する。そのため、この目的を実現するために、ＨＣｌ塩化物試験機器が選択される。そのような方法は、精製プロセスでの使用に特に適している。他のプロセスでは、塩化水素の含有量は変動し得、適切なＨＣｌ塩化物試験機器の選択は、これに応じて変動し得る。
【００４４】
好適には、この方法は、０．０５ｐｐｍｖと５０ｐｐｍｖとの間、より好適には、０．２ｐｐｍｖと４０ｐｐｍｖとの間の、ＨＣｌ等価物の定量的測定を提供する。そのため、この目的を実現するために、ＨＣｌ等価物塩化物試験機器が選択される。そのような方法は、精製プロセスでの使用に特に適している。他のプロセスでは、有機塩化物の含有量は変動し得、適切なＲＣｌ塩化物試験機器の選択は、これに応じて変動し得る。
【００４５】
適切には、例えば、この方法にて利用される塩化物試験機器が、使い捨てに設計されている場合、この方法は、試験方法を行う前に、塩化物試験機器を取り付ける任意のステップを含んでよい。同様に、この方法は好適には、この試験方法の終了時に、塩化物試験機器を取り外すステップを含んでよい。取り出し可能な／使い捨ての塩化物試験機器がこの方法にて利用され、サンプルポートが遮断バルブを含む場合、ユーザの安全性が向上する。したがって、この方法は好適には、以下の、
１）遮断バルブを含むサンプルポートを提供し、塩化物試験機器をそのサンプルポートに取り付けるステップ、
２）遮断値を開くことと、続いて、プロダクトストリームサンプルが一旦取り出されたら、遮断値を閉じることと、を含む、試験されるサンプルをプロダクトストリームから取り出して、プロダクトストリームサンプルを、そのサンプルポートを介して提供するステップ、
３）プロダクトストリームサンプルを分析して、そのＨＣｌ含有量を測定するステップ、
４）そのプロダクトストリームサンプル内のいずれかのＲＣｌを変換して、ＨＣｌ等価物を生成するステップ、 
５）ステップ４）にて生成されたＨＣｌ等価物を分析して、サンプル内のＲＣｌ含有量のＨＣｌ等価物含有量を測定するステップ、及び
６）ステップ３）及び５）のＨＣｌ及びＨＣｌ等価物含有量の測定値の合計に基づいて、総塩化物含有量を計算して、総塩化物含有量の測定値を提供するステップ、
を含み得る。
【００４６】
ＲＣｌをＨＣｌ等価物に変換することにより、本方法は、ＲＣｌ及び総塩化物含有量の計算が、都合よくその場で行われることを可能にする。この方法の利点の１つは、それがその場で、プロセスと同時且つリアルタイムに行われることである。これまでは、プロダクトストリームのＲＣｌ含有量を計算する方法は、その場で行われる方法での使用に適していなかった。サンプルのＲＣｌ含有量がＨＣｌ等価物に変換されると、この方法のステップ５）にしたがってＨＣｌ等価物が測定され得る。
【００４７】
最も好適には、この方法は、ＲＣｌからのＨＣｌ等価物の計算が、ステップ２）にて取り出された同じプロダクトストリームサンプルに順次行われるよう、この方法のステップ３）と、これに続いて進む（ＲＣｌからＨＣｌへの変換手段を介しての、ＲＣｌからＨＣｌへの変換のための）ステップ４）及び５）の対象となるプロダクトストリームサンプルを含む。しかし、代わりとなる方法では、２つ（又はそれ以上）のサンプルが、ステップ２）にて平行して取得され得、第１の平行サンプルがステップ３）の対象となり、第２の平行サンプルがステップ４）及び５）の対象となる。
【００４８】
ステップ３）でのＨＣｌ含有量と、ステップ５）でのＲＣｌのＨＣｌ等価物含有量と、の双方の計算が行われると、ステップ３）及び５）のＨＣｌ含有量の計算値の合計に基づく、サンプルの総塩化物含有量の計算が、この方法のステップ６）に示すように導き出され得る。
【００４９】
これに加えて、上記説明より認められるように、ＨＣｌと、ＲＣｌから導き出されるＨＣｌ等価物と、の量は、この方法を行うことから判定される。これは、上記に触れたように、有機塩化物及び無機塩化物の取り出しが、独立して実現され得る場合の、総塩化物ガードシステムの最適化に関連して好適である。
【００５０】
この方法が、試験されるサンプルを、サンプルポートを介して取り出すステップを含む場合、ステップ３）及びステップ５）の双方においてＨＣｌ含有量を計算する手段は、サンプルポートに直接取り外し可能に接続されてよい。明確には、３）と、５）と組み合わせての４）と、の方法のステップが平行して行われる場合、ステップ３）にてＨＣｌ含有量を計算する手段は、１つのサンプルポートに取り外し可能に接続され得、ステップ５）にてＨＣｌ等価物含有量を計算する手段は、平行するサンプルポートに取り外し可能に接続され得る。しかし、より好適には、１から６）の方法のステップは、試験される単一のサンプルに順次行われる。そのように、この方法は以下の、
１）（遮断バルブを任意に含む）サンプルポートを提供し、そのサンプルポートに、塩化物試験機器を取り付け、ＨＣｌ等価物試験機器を取り付けるステップ、
２）（遮断バルブを開くことと、続いて、プロダクトストリームサンプルが一旦取り出されたら、遮断値を閉じることと、を任意に含む）試験されるサンプルをプロダクトストリームから取り出して、プロダクトストリームサンプルを、サンプルポートを介して提供するステップ、
３）プロダクトストリームサンプルを分析して、そのＨＣｌ含有量を測定するステップ、
４）ステップ３）からの、そのプロダクトストリームサンプル内のいずれかのＲＣｌを続いて変換して、ＨＣｌ等価物を生成するステップ、
５）ステップ４）にて生成されたＨＣｌ等価物を分析して、サンプル内のＲＣｌ含有量のＨＣｌ等価物を測定するステップ、及び
６）ステップ３）及び５）のＨＣｌ及びＨＣｌ等価物含有量の測定値の合計に基づいて、総塩化物含有量を計算して、総塩化物含有量の測定値を提供するステップ、
を含み得る。
【００５１】
好適には、この方法は、１００バールＧを超えない圧力にて行われる。なぜなら、この圧力レベルを超えると、塩化物試験機器にダメージを与える場合があり、塩化物試験機器からの測定値の精度もまた、悪影響を受ける場合があるからである。
【００５２】
この方法を行ういくつかの実施形態では、プロダクトストリームは、取り出されたプロダクトストリームサンプルが、サンプルポート及び塩化物試験機器を自力で通過するのに十分な圧力下にあるプロセスプラントから排出されてよいことが想到される。しかし、その代わりに、そしてより好適には、この方法は、サンプルプロダクトストリームの圧力を、略大気圧力レベルまで下げることを含む。このように圧力を下げることは、安全性における利点を有し、上記の、プロセスプラントとサンプルポートとの間に自然に生じる圧力の低下により実現されてよいし、又は、既知の圧力調整手段が利用されてよい。したがって、任意に、そして最も好適には、プロダクトストリームサンプルが、この方法を行うために使用される機器を自力で通過するのに十分な圧力でのそれでない場合、この方法は、ステップ１）でのプロダクトストリームサンプルの吸引に使用するポンプ又は吸引装置を含む。システムに関連して上述するように、好適には、ＨＣｌ塩化物試験機器にて一般に使用される吸引装置が使用される。
【００５３】
任意に、この方法は、サンプルプロダクトストリームを除湿装置に通すことをさらに含む。塩化物試験機器が湿度に影響を受ける場合、このステップを含めることは特に好適である。本方法での使用に適した既知のＨＣｌ塩化物試験機器は通常、２０℃での、０％〜８０％の相対湿度の湿度範囲にて作動するため、この試験方法での除湿装置の使用は、プロダクトストリームの生成物が、プロセスにおいてこの作動範囲を外れる湿度を有する場合に特に好適である。
【００５４】
本発明の一態様に関連して説明する特徴が、本発明の別の態様においても等しく適用可能であり得ることが認められるであろう。例えば、本発明のシステムの態様に関連して説明する特徴は、本発明の方法の態様に等しく適用可能であり得、その逆もまたしかりである。
【００５５】
本発明の実施形態を、いずれの制限を示唆しない例として、添付の図面を参照して以下に説明する。
【図面の簡単な説明】
【００５６】
【図１】図１は、プロセスプラント上のその場での、システムの特徴を示す概略図である。
【発明を実施するための形態】
【００５７】
本発明の一実施形態に係るシステムを利用する、精製プロセスプロダクトストリーム内の総塩化物含有量をその場で測定する方法が提供され、これを以下により詳細に、添付の図面を参照して説明する。
【００５８】
プロセスプラント（１）のプロダクトストリームフローからの、プロダクトストリームから試験されるガスのプロダクトストリームサンプルの取り出しは、サンプルポート（３）を介して実現される。サンプルの取り出しは、精製ＣＲＵ（図示せず）の下流、及び塩化物ガード（図示せず）の上流にて生じる。総塩化物含有量のために試験されるプロダクトストリームサンプルがしたがって提供される。
【００５９】
サンプルポート（３）は、精製プロセスプラントシステム内に恒久的に位置するバルブ（５）を含む。精製者／オペレータが、プロセスプロダクトストリーム内の生成物スチームの総塩化物含有量を測定しようとする場合、バルブ（５）が開に設定され、プロダクトストリームの制御されたフローが、プロセスプラント（１）を、バルブ（５）を介して出ることができ、生成物スチームのサンプルを提供する。バルブ（５）は、プロダクトストリームがプロセスプラント（１）を流出することのみを可能とし、逆流することが防止されている。
【００６０】
サンプルプロダクトストリームフローの制御は、はじめのバルブ（５）に関連して、調整バルブ（７）により、下流の塩化物試験機器に負荷を過剰に与えないよう、サンプルプロダクトストリームの体積が制限され得るように実現される（いくつかの場合では、これは、ニードルバルブ（図示せず）と組み合わせて使用され、非常に少量のプロダクトストリームサンプルのみが塩化物試験機器（１３）に入ることを確かにする）。
【００６１】
サンプルポート（３）にはまた、通気孔（９）も提供され、精製者がこの方法を行う際のユーザの安全性を確かにする。通気孔には、圧力が所定の安全限度を超えた場合に、生成物をサンプルポートアセンブリから解放するフレキシブルチューブ（１７）が提供される。フレキシブルチューブ（１７）は、安全エリア（例えば、この方法を行う精製者の風下）に排気するように配置され、向けられている。
【００６２】
本例では、サンプルポート（３）はまた、サンプルが塩化物試験機器（１３）に入る直前に、サンプルポートを出たプロダクトストリームのフローのオン及びオフが切り替えられ得るよう配置されている遮断バルブ（１１）をも含む。これは、塩化物試験機器が、遮断バルブにプッシュフィットコネクタを介して取り付けられ得、遮断バルブ（１１）がこれに続いて、塩化物試験機器を介して塩化物測定方法が行われる間に開かれる場合に、使い捨ての塩化物試験機器が都合よく使用されることを可能にする。ＨＣｌ及びＨＣｌ等価物含有量の必要な計算が行われることに続いて、遮断バルブ（１１）は、使い捨ての塩化物試験機器（１３）の安全な取り外しのために閉じられ得る。
【００６３】
本例では、この方法は、ＨＣｌの測定と、同一の、単一のサンプルプロダクトストリームの分析から生じるＨＣｌ等価物としてのＲＣｌの測定と、が順次行われる。分析されるプロダクトストリームサンプルは、吸引装置（１５）を使用することにより、塩化物試験機器（１３）を通して吸引される。塩化物試験機器（１３）内では、試験されるサンプルはまず、ＨＣｌ塩化物試験機器を通過し、そしてＲＣｌからＨＣｌへの変換手段を通過し、これに続き、ＨＣｌ等価物塩化物試験機器を通過する。したがって、この方法のステップ３、４、及び５が、（上述するように）順次行われる。ＨＣｌ含有量の測定値は、ＨＣｌ及びＨＣｌ等価物塩化物試験機器のそれぞれにｐｐｍの単位にて視覚的に表示される。
【００６４】
本例では、プロセスプラントを出るサンプルプロダクトストリームがサンプルポート（３）を通過するため、その圧力が大気レベルまで低下している。したがって、吸引装置（１５）を使用して、プロダクトストリームサンプルを塩化物試験機器（１３）から吸引する必要がある。吸引装置（１５）は、吸引した、したがって、塩化物試験機器（１３）を通過したガスの体積を監視して明示する視覚的インジケータ含む。プロダクトストリームサンプルの既知の体積を、塩化物試験機器（１３）を通して吸引装置（１５）が吸引すると、試験したサンプルの塩化物及び塩化物の等価物含有量がｐｐｍｖの単位にて表される。塩化物試験機器により取得された結果は、塩化物試験機器に入るプロダクトストリームサンプルの体積に依存するため、塩化物含有量をｐｐｍｖの単位にて表すことは、（ＨＣｌのみを測定する本技術において一般的であるため）適切であることが認められるべきである。精製者／オペレータは、サンプルの総塩化物含有量を、表示された２つの測定値を単に共に加算することにより計算できる。つまり、最初に表示された、ＨＣｌ塩化物含有量の測定値が、表示された、ＲＣｌのＨＣｌ塩化物等価物含有量の測定値に加えられ、総塩化物含有量の測定値が提供される。ＨＣｌと、ＲＣｌのＨＣｌ等価物含有量と、の双方をｐｐｍｖの単位にて取得すると、オペレータは、ＣＲＵを出て塩化物ガードに入る塩化物及び有機塩化物のレベルを計算するための情報を推定できる。そのため、プロセスプラントのオペレータは、ＨＣｌ及びＲＣｌの双方の最大の取り出しのために、塩化物ガードを変更して最適化できる。さらに、オペレータは、塩化物ガードに入る塩化物（ＨＣｌ及びＲＣｌ）のレベルをより正確に監視でき、塩化物ガードがメンテナンスを必要とする時をよりよく推定できる。
【００６５】
本例では、第１のＨＣｌ塩化物試験機器と、これに続いて、ＲＣｌからＨＣｌへの変換手段と、第２のＨＣｌ等価物塩化物試験機器と、を含む塩化物試験機器（１３）が、サンプルポート（３）に、遮断バルブ（１１）と塩化物試験機器（１３）との間に位置する、不活性フレキシブルチューブの形態のコネクタを介して、取り外し可能に接続されている。塩化物試験機器（１３）は使い捨てに設計されているため、コネクタの遠位端は、各試験方法の開始時及び終了時に塩化物試験機器（１３）を容易に取り付けることができ、取り外すことができるよう、塩化物試験機器（１３）に取り外し可能に接続されている。
【００６６】
例１
塩化物含有量を測定するためにここに提供される、その場での方法の有用性を明示するため、実験的な、精製プロセス試験用の塩化物ブレークスルーのリグを設定した。このリグは、６０ｍｌのＣＲＵベッドを含んでいた。これは適切な触媒を装備しており、ガラス反応装置に挿入されており、これにより、実験的なＣＲＵを提供した。ＣＲＵは、ＨＣｌ及びＲＣｌが独立して、又は同時に導入されてよい上流の反応装置に接続されていた。代表的な有機塩化物である第３塩化ブチル（ｔｅｒｔｉａｒｙ  ｂｕｔｙｌ  ｃｈｌｏｒｉｄｅ又はＴＢＣ）が、反応装置に、代表的なプロダクトガスストリーム内への異なる濃度での噴射を介して与えられた。プロダクトストリームサンプル内に存在するＲＣｌ及びＨＣｌの含有量を確かめるために、ＣＲＵの下流のプロダクトガスストリームがその場でサンプルされ、分析された。ＨＣｌの存在の試験には、ＨＣｌ測定用の塩化物試験機器が利用され、ＲＣｌのＨＣｌ等価物の存在の試験には、同じ種類ではあるものの、先行する触媒ＲＣｌ変換手段を伴う塩化物試験機器が利用された。総塩化物含有量をその場で測定する方法を使用して取得した結果が、ガスクロマトグラフィ（ｇａｓ  ｃｈｒｏｍａｔｏｇｒａｐｈｙ又はＧＣ）による、同様に取り出されたサンプルのオフサイト分析から取得した測定と比較された。
【００６７】
結果
2020522702.tif 000003
【００６８】
使用したＨＣｌ試験機器にＲＣｌが影響したことを、例１から見ることができる。ＨＣｌ試験機器と組み合わせてＲＣｌ変換手段が使用される場合、ＨＣｌ等価物として、最も正確なＲＣｌの測定値が取得される。精製者／オペレータが、現在のＨＣｌのみの測定方法に頼る場合、サンプルプロダクトストリームに存在するＲＣｌのレベルを見落し、プロセスプラントの下流をこれらの物質から保護することを最適化できない可能性がある。なお、ＲＣｌ変換手段を利用しないＨＣｌ試験機器であっても、ＨＣｌは検出される。これは、ＨＣｌに変換するＣＲＵに導入されたいくらかのＲＣｌの結果によるものとみられる。総塩化物含有量は、ＨＣＬ試験機器のみの測定から取得された測定値と、ＨＣｌ試験機器を組み合わせたＲＣｌ変換手段から取得した測定値と、の合計により容易に計算され得る。
【００６９】
上記の実施形態は、制限を示唆しない例としてのみに説明されており、種々の変形例及び変更例が、添付の特許請求の範囲により定められる本発明の範囲を逸脱することなく可能であることが、本技術における当業者により認められるであろう。例えば、上記のシステムでは、調整バルブに加えてニードルバルブが利用されてよいし、技術的困難が明白でなければ、代わりとなる圧力解放システムが利用されてよい。
【図１】
2020522702.tif 000004
【国際調査報告】
2020522702.tif 000005
2020522702.tif 000006
2020522702.tif 000007